(57)【要約】【課題】大幅に有効静電容量率を向上する交互静電容量式タッチパネル及びコンビ式交互静電容量タッチパネルを提供する。【解決手段】透明な絶縁媒質で作成されたタッチ平面を備え、タッチ平面がカバーする駆動層、検出層、及び駆動層と検出層との間に作成された静電容量媒質平面を備える。駆動層は、同一平面に間隔的に分布した透明な導電材料で作成された平板駆動電極２１０を有する。検出層は、同一平面に間隔的に分布した透明な導電材料で作成された平板検出電極３１０を有する。検出電極３１０が検出層において駆動層にある駆動電極２１０の間にある隙間区域の真正面にあるエリアに分布して、駆動電極２１０と検出電極３１０とにタッチ平面のタッチエリア１１０を充填させ、駆動電極２１０がタッチパネル周辺装置の激励信号モジュールと接続され、検出電極３１０がタッチパネルの周辺装置の検出制御モジュールと接続される。【選択図】図１−３
2010108505.tif 000002
【特許請求の範囲】
【請求項１】
透明な絶縁媒質で作成されたタッチ平面（１００）と、
前記タッチ平面（１００）がカバーする駆動層（２００）及び検出層（３００）と、
前記駆動層（２００）と前記検出層（３００）との間に透明な絶縁媒質で作成された静電容量媒質平面（９１０）と、
を備え、
前記駆動層（２００）は、同一平面に間隔的に分布した透明な導電材料で作成された平板駆動電極（２１０）を有し、
前記検出層（３００）は、同一平面に間隔的に分布した透明な導電材料で作成された平板検出電極（３１０）を有し、
前記検出電極（３１０）が前記検出層（３００）において前記駆動層（２００）にある前記駆動電極（２１０）の間にある隙間区域の真正面にあるエリアに分布して、前記駆動電極（２１０）と前記検出電極（３１０）とに前記タッチ平面（１００）のタッチエリア（１１０）を充填させ、
前記駆動電極（２１０）がタッチパネル周辺装置の激励信号モジュール（６００）と接続されて、前記検出電極（３１０）がタッチパネルの周辺装置の検出制御モジュール（７００）と接続されることを特徴とする交互静電容量式タッチパネル。
【請求項２】
さらに、シールド層（４００）を備え、
前記シールド層（４００）は、前記駆動層（２００）と前記検出層（３００）のうち下方の一層にあたるものの上方または下方に設置されるか、或いは前記駆動層（２００）または前記検出層（３００）に嵌め込まれ、 
前記シールド層（４００）は、透明な導電材料で作成された平板シールド電極（４１０）、及びシールド電極引出導線（４３０）を有し、
前記シールド電極（４１０）は、前記駆動層（２００）と前記検出層（３００）のうち上方の一層にある各電極に占められた位置に正対し、
前記シールド電極（４１０）は、電気的に宙に浮き、或いは前記シールド電極引出導線（４３０）を通じて、すべての前記シールド電極（４１０）が接地或いはタッチパネル周辺装置の直流電源（８００）と接続されることを特徴とする請求項１に記載の交互静電容量式タッチパネル。
【請求項３】
さらに、唖電極層（５００）を備え、
前記唖電極層（５００）は、前記駆動層（２００）と前記検出層（３００）のうち上方の一層にあたるものの上方または下方に設置されるか、或いは前記駆動層（２００）または前記検出層（３００）に嵌め込まれ、
前記唖電極層（５００）は、透明な導電材料で作成された平板唖電極（５１０）を有し、
前記唖電極（５１０）は、前記駆動層（２００）と前記検出層（３００）のうちの下方の一層の各電極に占められた位置に正対していることを特徴とする請求項１に記載の交互静電容量式タッチパネル。
【請求項４】
透明な導電材料で作成された駆動電極接続コード（２２０）、検出電極接続コード（３２０）、駆動電極引出導線（２３０）及び検出電極引出導線（３３０）を備え、
前記駆動電極（２１０）は、前記駆動電極接続コード（２２０）によってグループ別に直列で連結され、前記駆動電極接続コード（２２０）の前記駆動層（２００）内にある相互位置関係は共通線上または平行であり、
前記検出電極（３１０）は、前記検出電極接続コード（３２０）によってグループ別に直列で連結され、前記検出電極接続コード（３２０）の前記検出層（３００）内にある相互位置関係は共通線上または平行であり、
前記駆動電極接続コード（２２０）と前記検出電極接続コード（３２０）とはお互いに直交し、
駆動電極グループ（２４０）は、前記駆動電極引出導線（２３０）を通じてタッチパネル周辺装置の前記激励信号モジュール（６００）と接続され、
各検出電極グループ（３４０）は、前記検出電極引出導線（３３０）を通じてタッチパネル周辺装置の前記検出制御モジュール（７００）と接続されることを特徴とする請求項１から３に記載の交互静電容量式タッチパネル。
【請求項５】
前記駆動電極（２１０）は、矩形駆動電極（２１１）であり、
前記検出電極（３１０）は、矩形検出電極（３１１）であることを特徴とする請求項１から３に記載の交互静電容量式タッチパネル。
【請求項６】
前記駆動電極（２１０）は、菱形駆動電極（２１２）であり、
前記検出電極（３１０）は、菱形検出電極（３１２）であることを特徴とする請求項１から３に記載の交互静電容量式タッチパネル。
【請求項７】
前記駆動電極（２１０）は、六角形駆動電極（２１３）であり、
前記検出電極（３１０）は、菱形検出電極（３１３）であることを特徴とする請求項１から３に記載の交互静電容量式タッチパネル。
【請求項８】
透明な絶縁媒質で作成されたタッチパネル（１１００）を備え、
前記タッチパネル（１１００）のカバーした緊密的に配列された少なくとも２つの交互静電容量タッチユニット（１０００）を備え、
前記交互静電容量タッチユニット（１０００）が前記タッチパネル（１１００）のタッチエリアを充填し、
前記交互静電容量タッチユニット（１０００）は、駆動層（２００）、検出層（３００）、及び前記駆動層（２００）と前記検出層（３００）の間に透明な絶縁媒質で作成された蓄電媒質平面（９１０）を設け、
前記駆動層（２００）は、同一平面内に間隔的に分布した透明な導電材料で作成された平板駆動電極（２１０）を有し、
前記検出層（３００）は、同一平面内に透明な導電材料で作成された平板検出電極（３１０）を有し、
前記検出電極（３１０）は、前記検出層（３００）において前記駆動層（２００）にある前記駆動電極（２１０）の間にある隙間区域の真正面にある区域に分布して、
前記駆動電極（２１０）と前記検出電極（３１０）とに共に前記交互静電容量タッチユニット（１０００）のタッチエリア（１１０）を充填させ、
前記駆動電極（２１０）がコンビ式交互静電容量タッチパネル周辺装置の対応する前記駆動電極（２１０）の前記交互静電容量タッチユニット（１０００）の激励信号モジュール（６００）と接続され、
前記検出電極（３１０）がコンビ式交互静電容量タッチパネル周辺装置の対応する前記検出電極（３１０）の前記交互静電容量タッチユニット（１０００）の検出制御モジュール（７００）と接続されることを特徴とするコンビ式交互静電容量タッチパネル。
【請求項９】
さらに、透明な導電材料で作成されたシールド層接続コード（１４２０）、及びシールド層引出導線（１４３０）を備え、
前記交互静電容量タッチユニット（１０００）は、シールド層（４００）を有し、
前記シールド層（４００）は、前記駆動層（２００）と前記検出層（３００）のうち下方一層にあたるものの上方または下方に設置されるか、或いは前記駆動層（２００）または前記検出層（３００）に嵌め込まれ、
前記シールド層（４００）は、透明な導電材料で作成された平板シールド電極（４１０）、及びシールド電極引出導線（４３０）を有し、
前記シールド電極（４１０）は、前記駆動層（２００）と前記検出層（３００）のうちの上方一層にある電極の占められた位置に正対して分布し、
前記シールド電極（４１０）は、電気的に宙に浮くか、或いは、前記シールド層接続コード（１４２０）を通じて、前記交互静電容量タッチユニット（１０００）にある前記シールド層（４００）に接続して、且つ前記シールド層引出導線（１４３０）を通じて設置或いはコンビ式交互静電容量タッチパネル周辺装置の直流電源（８００）と接続し、或いは、前記シールド電極引出導線（４３０）を通じて、前記交互静電容量タッチユニット（１０００）各自の前記シールド電極（４１０）を設置或いはコンビ式交互静電容量タッチパネル周辺装置の直流電源（８００）と接続することを特徴とする請求項８に記載のコンビ式交互静電容量タッチパネル。
【請求項１０】
前記交互静電容量タッチユニット（１０００）は、唖電極層（５００）を備え、
前記唖電極層（５００）は、前記駆動層（２００）と前記検出層（３００）のうちで上方の一層にあたるものの上方または下方に設置されるか或いは前記層に嵌め込まれ、
前記唖電極層（５００）は、透明な導電材料で作成された平板電極（５１０）を有し、前記唖電極（５１０）は前記駆動層（２００）と前記検出層（３００）のうちの下方一層にある電極の所在位置に正対に設置されることを特徴とする請求項８または９に記載のコンビ式交互静電容量タッチパネル。
【発明の詳細な説明】
【技術分野】
【０００１】
本発明は、タッチ検出入力装置に関し、特に交互静電容量を検出部品とするタッチ入力装置に関する。
【背景技術】
【０００２】
タッチパネルは、今広範に応用されているタッチ検出入力装置である。タッチ検出原理によって、既存のタッチパネルは、抵抗式タッチパネル、静電容量式タッチパネル、表面赤外線タッチパネルなどに分けられる。抵抗式タッチパネルは、そのローコスト、実現しやすさ、制御が簡単というメリットによって、長年流行っていた。近ごろでは、静電容量式タッチパネルが、光の高透過率、耐磨耗、耐環境温度変化、長寿命、複数点タッチの実現性など高級且つ複雑な機能によって愛用されるようになった。
【０００３】
静電容量の容量変化を検出原理として利用することは、従来からあるものである。タッチパネルを効果的に稼働させるために、透明な静電容量検出陳列が必要である。人体或はタッチペンなど専用タッチ装置が静電容量の検出電極に接近すると、検出制御回路の静電容量値が変わるため、タッチエリア内の静電容量値変化の分布によって、人体或は専用装置のタッチエリアでのタッチ状況を判断できる。静電容量の形成方式によって、既存タッチパネルは、自己静電容量式タッチパネルと交互静電容量タッチパネルとに分けられる。自己静電容量タッチパネルは、検出電極が交流アース或は直流電圧電極と形成した静電容量値の変化をタッチ検出の信号とするものである。交互静電容量タッチパネルは、２つの電極の間に形成された静電容量値の変化をタッチ検出信号とし、交互静電容量を投射静電容量と称することもある。
【０００４】
図１１−１から図１１−４に示すように、既存技術の交互静電容量タッチパネルは、タッチ平面１００’、同一平面にない駆動線２１０’と検出線３１０’、及びこの駆動線２１０’と検出線３１０’との間にある媒質平面９１０’を備える。図１１−１及び図１１−２に示すように、駆動線２１０’が互いに平行し、検出線３１０’も互いに平行し、且つ駆動線２１０’と検出線３１０’とは空間で垂直に交差する。駆動線２１０’の電気接続激励信号は、検出線３１０’電気接続検出制御回路と、駆動線２１０’と検出線３１０’との間に交互静電容量を形成する。駆動線２１０’と検出線３１０’との交差点で形成される交互コンデンサＣは、検出制御回路検査、測定用主要なコンデンサデータ信号である。図１１−３に示すように、交互静電容量Ｃは、駆動線２１０’と検出線３１０’底部との間にある静電容量ＣＢ、および、駆動線２１０’と検出線３１０’ヘッド部との間にある容量ＣＴ、即ちＣ＝ＣＢ＋ＣＴである。図１１−４に示すように、人指１５０’がタッチ平面１００’をタッチすると、人指１５０’は、検出線３１０’の上にある電極に相当して、駆動線２１０’と検出線３１０’トップ部との電界を変える。このような変化は、人指１５０’が駆動線２１０’から検出線３１０’トップ部までの電界線を吸出して、ＣＴが変化し、交互容量Ｃは変わる。検出制御回路検査タッチ平面１００’の全体タッチエリアの交互容量Ｃの変化状況によって、タッチエリアにタッチされた位置と強度を特定する。適切に検出制御回路を設計することによって、当該検出制御回路が同時にタッチ平面１００’の上で発生された複数点タッチの分布状況を測定できるため、複数点タッチ検出機能を実現する。このＣＴ値の変化範囲のタッチが発生していないときに交互容量Ｃに占める割合が有効静電容量率と呼ばれる。
【０００５】
図１１−１から図１１−４に示すように、既存技術のタッチパネルをタッチするときに、駆動線２１０’と検出線３１０’底部との間にある静電容量ＣＢはタッチによる影響を受けない。検出線３１０’底部と駆動線２１０’とが真正面に設置され、この静電容量ＣＢが交互静電容量Ｃに大きい割合を占めると、有効静電容量率を低くさせる。既存技術の相互誘導式タッチパネルの有効静電容量率は普通３０％位で、ＳＮ比が低くなり、複雑な検出制御回路で人体或は専用タッチ装置がタッチされたタッチパネルの状況を正確に把握することは、タッチパネルの設計と製造コストを増加させた。
【発明の概要】
【発明が解決しようとする課題】
【０００６】
本発明は既存技術の不足を改善して、大幅に有効静電容量率を向上する交互静電容量式タッチパネル及びコンビ式交互静電容量タッチパネルを提供する。
【課題を解決するための手段】
【０００７】
上記目的を達成するため、本発明に係る交互静電容量式タッチパネルは、透明な絶縁媒質で作成されたタッチパネル、このタッチ平面にカバーされた駆動層、検出層、及び駆動層と検出層との間に透明な絶縁媒質で作成されたコンデンサ媒質平面を備える。特に駆動層は、同一平面内に間隔的に分布された透明な導電材料で作成された平板駆動電極を有する。検出層は、同一平面内に間隔的に分布された透明な導電材料で作成された平板検出電極を有する。検出電極は、検出層において駆動層にあるこの駆動電極の間の隙間エリアの真正面にあるエリアに分布され、駆動電極と検出電極とでタッチ平面のタッチエリアを充填させる。駆動電極とタッチパネル周辺装置の激励信号モジュールとは電気的に接続され、検出電極とタッチパネル周辺装置の検出制御モジュールとが接続される。
【０００８】
さらに有効静電容量率を高めるために、タッチパネルに唖電極層も設定される。唖電極層は、駆動層と検出層のうち上方一層にあたるものの上方または下方に設置されるか或は当該層内に嵌め込まれる。唖電極層は、透明な導電材料で作成された平板唖電極を有し、唖電極は、駆動層と検出層のうち下方一層にある各電極の所在位置の真正面に分布する。
【０００９】
交互静電容量式タッチパネルは、透明な導電材料で作成された駆動電極接続コード、検出電極接続コード、駆動電極引出導線及び検出電極引出導線を備える。駆動電極は、駆動電極接続導線を通じてグループ別に直列に連結し、駆動電極接続線の駆動層内における相互位置関係は共通線上または平行である。検出電極は、検出電極接続線を通じてグループ別に直列に連結し、検出電極接続線の検出層内における相互位置関係は共通線上または平行である。駆動電極接続線と検出電極接続線とは、お互いに直交する。各駆動電極グループは、駆動電極引出導線とタッチパネル周辺装置の激励信号モジュールとを接続する。各検出電極グループは、検出電極引出導線を通じてタッチパネル周辺設備の検出制御モジュールと接続する。
【００１０】
駆動電極と検出電極との形状は下記のような具体的な方案を採用することができる。駆動電極は、サイズが同じ矩形電極で、検出電極は、サイズが同じ矩形電極である。或いは、駆動電極はサイズが同じ菱形電極で、検出電極はサイズが同じ菱形電極である。或いは、駆動電極は、サイズが同じ六角形電極で、検出電極はサイズが同じ菱形電極である。
【００１１】
さらに本発明に係るコンビ式交互静電容量タッチパネルは、上記交互静電容量式タッチパネルをベースに提出され、以下の技術方案で実現できる。
コンビ式交互静電容量タッチパネルは、透明な絶縁媒質で作成されたタッチパネルを備える。特に、タッチパネルにカバーされ緊密に配列された２個以上の交互静電容量タッチユニットを有し、交互静電容量タッチユニットは、タッチパネルのタッチエリアを充填する。交互静電容量タッチユニットは、駆動層、検出層、及び、駆動層と検出層との間に透明な絶縁媒質で作成されたコンデンサ媒質平面を備える。駆動層は、同一平面に間隔的に分布された透明な導電材料で作成された平板駆動電極を有する。検出層は、同一平面内にある透明な導電材料で作成された平板検出電極を有し、検出電極が検出層で駆動層にある駆動電極の間にある隙間区域の真正面に分布し、駆動電極と検出電極に交互静電容量タッチユニットのタッチエリアを充填する。駆動電極とコンビ式交互静電容量タッチパネル周辺装置の当該駆動電極に対応する交互静電容量タッチユニットの激励信号モジュールと電気的に接続し、検出電極とコンビ式交互静電容量タッチパネル周辺装置の当該検出電極に対応する交互静電容量タッチユニットの検出制御モジュールと接続する。
【００１２】
コンビ式交互静電容量タッチパネルは、透明な導電材料で作成されたシールド層接続線、及びシールド層引出導線を備える。交互静電容量タッチユニットは、シールド層を有する。シールド層は、駆動層と検出層のうちの下方の一層にあたるものの上方または下方に設置されるか、或いは当該層に嵌め込まれる。シールド層は、透明な導電材料で作成された平板シールド電極、及びシールド電極引出導線を有する。シールド電極は、駆動層と検出層のうちの上方一層の各電極所在区域の真正面に設置される。シールド電極は、電気的に宙に浮くか、或いは、シールド層接続線を通じて交互静電容量タッチユニット各自のシールド層と電気的に接続し、またシールド層引出導線の接地或いはコンビ式交互静電容量タッチユニット周辺装置の直流電源と接続する。または、シールド電極引出導線を通じて、この交互静電容量タッチユニット各自のシールド電極の接地或はコンビ式交互静電容量タッチパネル周辺装置の直流電源と接続する。
【００１３】
交互静電容量タッチユニットは、唖電極層を備える。唖電極層は駆動層と検出層のうちの上方の一層にあたるものの上方または下方に設置されるか或いは当該層内に嵌め込まれる。唖電極層は、透明な導電材料で作成された平板唖電極を有し、唖電極は、駆動層と検出層のうちの下方の一層の各電極所在位置の真正面にあるエリアに設置する。
【００１４】
既存技術と比べて、本発明の「交互静電容量式タッチパネルとコンビ式交互静電容量タッチパネル」の技術効果は以下の通りである。
駆動電極と検出電極の空間位置は正対関係ではなく、駆動電極が検出電極底部と形成された静電容量ＣＢが大幅に下げられ、駆動電極と検出電極トップ部の間に形成された静電容量ＣＴが交互静電容量Ｃに占める割合を高めて、それによってタッチ検出で静電容量ＣＴが静電容量Ｃでの割合を高めて、この交互静電容量式タッチパネルの有効静電容量率を効率的に増加させる。
【００１５】
シールド電極と唖電極は、駆動電極と検出電極との間の電界を変えることができ、交互静電容量Ｃにある交互静電容量ＣＢを更に小さく、交互静電容量ＣＴをさらに大きくさせて、さらに交互静電容量式タッチパネルの有効静電容量率を高める。この唖電極は、この交互静電容量式タッチパネルの光透過率を一致させ、この交互静電容量式タッチパネルの性能を高めることができる。 
また、このコンビ式交互静電容量タッチパネルは、広面積のタッチパネル構造を提出して、複数駆動電極或は検出電極の接続による莫大抵抗による交互静電容量通路の通信容量下降問題を防止できる。
【図面の簡単な説明】
【００１６】
【図１−１】本発明の第１実施形態による交互静電容量式タッチパネルの検出層を示す模式図である。
【図１−２】本発明の第１実施形態による交互静電容量式タッチパネルの駆動層を示す模式図である。
【図１−３】本発明の第１実施形態による交互静電容量式タッチパネルを示す平面図である。
【図１−４】図１−３のＡ−Ａ線に沿う断面図である。
【図１−５】本発明の第１実施形態による交互静電容量式タッチパネルにおいて、タッチされていない状態の電界分布を示す模式図である。
【図１−６】本発明の第１実施形態による交互静電容量式タッチパネルにおいて、タッチされた状態の電界分布を示す模式図である。
【図２−１】本発明の第２実施形態による交互静電容量式タッチパネルのシールド層を示す平面図である。
【図２−２】本発明の第２実施形態による交互静電容量式タッチパネルにおいて、一体に嵌め込まれた駆動層とシールド層を示す模式図である。
【図２−３】本発明の第２実施形態による交互静電容量式タッチパネルを示す断面図である。
【図２−４】本発明の第２実施形態による交互静電容量式タッチパネルにおいて、タッチされていない状態の電界分布を示す模式図である。
【図２−５】本発明の第２実施形態による交互静電容量式タッチパネルにおいて、タッチされた状態の電界分布を示す模式図である。
【図３−１】本発明の第２実施形態による交互静電容量式タッチパネルの駆動層とシールド層とタッチパネル周辺装置の接続方式を示す模式図である。
【図３−２】本発明の第２実施形態による交互静電容量式タッチパネルの駆動層とシールド層とタッチパネル周辺装置の他の接続方式を示す模式図である。
【図３−３】本発明の第２実施形態による交互静電容量式タッチパネルの駆動層とシールド層とタッチパネル周辺装置のさらに他の接続方式を示す模式図である。
【図３−４】本発明の第２実施形態による交互静電容量式タッチパネルの駆動層とシールド層とタッチパネル周辺装置またさらに他の接続方式を示す模式図である。
【図４−１】本発明の第３実施形態による交互静電容量式タッチパネルの唖電極層を示す平面図である。
【図４−２】本発明の第３実施形態による交互静電容量式タッチパネルにおいて、一体に嵌め込まれた検出層と唖電極層を示す模式図である。
【図４−３】本発明の第３実施形態による交互静電容量式タッチパネルを示す断面図である。
【図４−４】本発明の第３実施形態による交互静電容量式タッチパネルにおいて、タッチされていない状態の電界分布を示す模式図である。
【図４−５】本発明の第３実施形態による交互静電容量式タッチパネルにおいて、タッチされた状態の電界分布を示す模式図である。
【図５−１】本発明の第４実施形態による交互静電容量式タッチパネルを示す断面図である。
【図５−２】本発明の第４実施形態による交互静電容量式タッチパネルにおいて、タッチされていない状態の電界分布を示す模式図である。
【図５−３】本発明の第４実施形態による交互静電容量式タッチパネルにおいて、タッチされた状態の電界分布を示す模式図である。
【図６−１】本発明の第５実施形態による交互静電容量式タッチパネルの駆動層を示す平面図である。
【図６−２】本発明の第５実施形態による交互静電容量式タッチパネルの検出層を示す平面図である。
【図６−３】本発明の第５実施形態による交互静電容量式タッチパネルのシールド層を示す平面図である。
【図６−４】本発明の第５実施形態による交互静電容量式タッチパネルの唖電極層を示す平面図である。
【図６−５】本発明の第５実施形態による交互静電容量式タッチパネルの図６−１のＢ−Ｂ線に沿う断面図である。
【図７−１】本発明の第６実施形態による交互静電容量式タッチパネルの駆動層を示す平面図である。
【図７−２】本発明の第６実施形態による交互静電容量式タッチパネルの検出層を示す平面図である。
【図７−３】本発明の第６実施形態による交互静電容量式タッチパネルのシールド層を示す平面図である。
【図７−４】本発明の第６実施形態による交互静電容量式タッチパネルの唖電極層を示す平面図である。
【図７−５】本発明の第６実施形態による交互静電容量式タッチパネルの図７−１のＣ−Ｃ線に沿う断面図である。
【図８−１】本発明の第７実施形態によるコンビ式交互静電容量タッチパネルを示す模式図である。
【図８−２】本発明の第７実施形態によるコンビ式交互静電容量タッチパネルを示す模式図である。
【図９−１】本発明の第８実施形態によるコンビ式交互静電容量タッチパネルを示す模式図である。
【図９−２】本発明の第８実施形態によるコンビ式交互静電容量タッチパネルを示す模式図である。
【図１０−１】本発明の第９実施形態によるコンビ式交互静電容量タッチパネルを示す模式図である。
【図１０−２】本発明の第９実施形態によるコンビ式交互静電容量タッチパネルを示す模式図である。
【図１１−１】従来の交互静電容量式タッチパネルを示す模式図である。
【図１１−２】従来の交互静電容量式タッチパネルを示す断面図である。
【図１１−３】従来の交互静電容量式タッチパネルにおいて、タッチされていない状態の電界分布を示す模式図である。
【図１１−４】従来の交互静電容量式タッチパネルにおいて、タッチされた状態の電界分布を示す模式図である。
【発明を実施するための形態】
【００１７】
以下、本発明の実施形態について、添付図面と合わせて説明する。
（第1実施形態）
本発明の実施形態による交互静電容量式タッチパネルは、図形或いは画像表示装置の表示板をカバーし、周辺装置の制御装置を通じて図形或は画像表示装置での表示内容に対して制御する。図１−１から図７−５に示すように、交互静電容量式タッチパネルは、透明な絶縁媒質で作成されたタッチ平面１００、タッチ平面１００にカバーされた駆動層２００と検出層３００、及び駆動層２００と検出層３００との間に透明な絶縁媒質で作成された交互静電容量媒質平面９１０を備える。また、更に透明な絶縁材で作成された保護平面１２０を備え、駆動層２００、検出層３００及び交互静電容量媒質平面９１０がタッチ平面１００と保護平面１２０の間に設置される。保護平面１２０と図形或いは画像表示装置の表示板とは向かいあう。
【００１８】
駆動層２００は、同一平面内に間隔的に分布された透明な導電材料で作成された平板駆動電極２１０を設ける。検出層３００は、同一平面内に間隔的に分布された透明な導電材料で作成された平板検出電極３１０を設け、検出電極３１０は、検出層３００において駆動層２００にある駆動電極２１０の間にある隙間区域の真正面に分布され、駆動電極２１０と検出電極３１０とにタッチ平面１００のタッチエリア１１０を充填させる。駆動電極２１０とタッチパネル周辺装置の激励信号モジュール６００とは電気的に接続されて、検出電極３１０とタッチパネル周辺装置の検出制御モジュール７００とは接続される。
【００１９】
交互静電容量式タッチパネルの駆動電極２１０と検出電極３１０とが正対現象を起こさないため、駆動電極２１０と検出電極３１０底部との間に形成される静電容量ＣＢは既存技術の駆動線２１０’と検出線３１０’底部との間に形成される静電容量ＣＢより小さく、それによってこの静電容量ＣＢが交互静電容量Ｃに占める割合を低くさせて、交互静電容量Ｃの有効静電容量率を高める。
【００２０】
本発明の実施形態による交互静電容量式タッチパネルの駆動電極２１０と検出電極３１０との形状とそれぞれ対応する駆動層２００と検出層３００との内の接続分布情況は色々で、幾つかの応用と実践的な形状と接続分布状況を提供する。
本発明の実施形態による交互静電容量式タッチパネルは、皆以下の技術方案を採用した。交互静電容量式タッチパネルは、透明な導電材料で作成された駆動電極接続コード２２０、検出電極接続コード３２０、駆動電極引出導線２３０、及び検出電極引出導線３３０を備える。駆動電極２１０は、駆動電極接続コード２２０を通じてグループ別に直列に連結され、駆動電極接続コード２２０の駆動層２００内の相互位置関係は、共通線上または平行である。検出電極３１０は、検出電極接続コード３２０を通じてグループ別に直列に連結され、検出電極接続コード３２０の検出層３００内での相互位置関係は、共通線上または平行である。駆動電極接続コード２２０と検出電極接続コード３２０とは、互いに直交する。各駆動電極グループ２４０は、駆動電極引出導線２３０を通じてタッチパネル周辺装置の激励信号モジュール６００と接続される。各検出電極グループ３４０は、検出電極引出導線３３０を通じてタッチパネル周辺装置の検出制御モジュール７００と接続される。図１−１から図７−５に示すように、駆動電極接続コード２２０及び検出電極接続コード３２０の各自の位置関係は、共通線上または平行である。即ち、駆動電極グループ２４０にある駆動電極２１０の幾何中心が各駆動電極接続コード２２０と同じ直線上にあり、駆動電極グループ２４０各自の駆動電極接続コード２２０の所在直線は、互いに平行する。検出電極グループ３４０にある各検出電極３１０の幾何中心が各検出電極接続コード３２０と同一直線上にあり、検出電極グループ３４０各自の検出電極接続コード３２０の所在直線は、互いに平行する。即ち、駆動層２００内の駆動電極接続コード２２０と検出層３００内にある検出電極接続コード３２０とに対して、電極グループ内の電極接続コードの位置関係は共通線上にあり、電極グループ間の電極接続コードの位置関係は平行である。
【００２１】
図１−１から図１−６示すように、本発明の第１実施形態において、駆動電極２１０は、矩形駆動電極２１１で、２５個の矩形駆動電極２１１がある。検出電極３１０は、矩形検出電極３１１で、３６個の矩形検出電極３１１がある。
図１−１に示すように、矩形検出電極３１１は、検出電極接続コード３２０を通じてグループ別に６組の検出電極グループ３４０に分けられ、全ての検出電極グループ３４０にある矩形検出電極３１１の幾何中心と検出電極接続コード３２０とは同じ直線上にあり、且つ、各検出電極グループ３４０内の検出電極接続コード３２０の所在直線はお互いに平行する。各検出電極グループ３４０は、検出電極引出導線３３０を通じてタッチパネル周辺装置の検出制御モジュール７００と接続する。
【００２２】
図１−２に示すように、矩形駆動電極２１１は、駆動電極接続コード２２０を通じてグループ別に５組の駆動電極グループ２４０に分けられ、全ての駆動電極グループ２４０にある矩形駆動電極２１１の幾何中心と各駆動電極接続コード２２０とは同じ直線上にあり、且つ各駆動電極グループ２４０内の駆動電極接続コード２２０の所在直線はお互いに平行する。各駆動電極グループ２４０は、駆動電極引出導線２３０を通じてタッチパネル周辺装置の激励信号モジュール６００と接続する。
【００２３】
図１−３に示すように、矩形検出電極３１１は、検出層３００において駆動層２００にあるこの矩形駆動電極２１１の間にある隙間区域の真正面区域に分布し、矩形駆動電極２１１と矩形検出電極３１１とにこのタッチパネルのタッチエリア１１０を充填させる。この駆動電極接続コード２２０は検出電極接続コード３２０とお互いに直交する。
図１−３と図１−４とに示すように、タッチエリア１１０の全域内において、この矩形検出電極３１１の占めた区域と矩形駆動電極２１１の占めた区域とがお互いに補充して、矩形検出電極３１１と矩形駆動電極２１１とが正対の位置関係を起こさないようにする。
【００２４】
図１−４に示されたＯ1点について、Ｏ1点がタッチされていないとき、Ｏ1点の電界分布情況は図１−５のようになる。人指１５０がＯ1点をタッチしたとき、Ｏ1点の電界分布情況は図１−６のようになる。矩形検出電極３１１底部に正対の矩形駆動２１１がないため、矩形検出電極３１１底部と矩形駆動電極２１１との間に形成された交互静電容量ＣＢの静電容量値は既存技術より大幅に減少し、即ち矩形検出電極３１１底部と矩形駆動電極２１１との間に形成されるＣＢがＯ1点の交互静電容量Ｃに占める割合を大幅に減少させ、それによって交互静電容量式タッチパネルの交互静電容量Ｃの有効静電容量率を高める。
【００２５】
（第２実施形態）
本発明の第２実施形態は、図２−１から図２−５に示すように、駆動層２００と検出層３００とが第１実施形態と完全に同じで、シールド層４００を追加した。シールド層４００は、駆動層２００と検出層３００のうち下方一層にあたるものの上方または下方に設置、或いは当該層内に嵌め込まれる。シールド層４００は、透明な導電材料で作成された平板シールド電極４１０を有し、シールド電極４１０は、駆動層２００と検出層３００のうち上方一層にあたるものの各電極所在位置の真正面に分布する。
【００２６】
第２実施形態の一例について説明すると、検出層３００が駆動層２００の上方にあるとき、図２−１に示すように、シールド電極４１０は、シールド層４００が検出層３００の各検出電極３１０に占められた区域に正対する地域に分布し、また、６つのシールド電極４１０に接続され、言いかえれば、シールド電極４１０は、シールド層４００において駆動層２００の各駆動電極２１０の間の隙間区域の真正面に分布する。
【００２７】
図２−２に示すように、シールド電極４１０の所在区域が、矩形駆動電極２１１と互いに補充する。本形態では、シールド層４００が駆動層２００と一体に嵌め込まれ、図２−３に示すように、シールド層４００と駆動層２００とは同じ層にある。
図２−３に示されたＯ2点について、Ｏ2点がタッチされなかったときに、当該Ｏ2点の電界分布情況は図２−４のようになる。人指１５０がＯ2点をタッチしたときに、Ｏ2点の電界分布情況は図２−５のようになる。図２−４及び図２−５を見れば、シールド電極４１０の作用は、矩形検出電極３１１底部の電界を変えて、矩形検出電極３１１底部と矩形駆動電極２１１との間に形成される交互静電容量ＣＢをさらに減少させることが分かる。これは、シールド電極４１０が矩形駆動電極２１１と矩形検出電極３１１底部との電界にある一部の電界線を吸い出すことから理解できる。
【００２８】
シールド電極４１０は、電気的に宙に浮くことができる。即ち、交互静電容量式タッチパネル周辺装置の如何なる激励信号、交流地、及び直流源と接続しないことであり、以下の方案も採用することができる。図３−１から図３−４に示すように、シールド層４００は、シールド電極引出導線４３０を有し、シールド電極引出導線４３０を通じて、すべてのシールド電極４１０が接地、或いはタッチパネル周辺装置の直流源８００と接続する。また、このシールド電極引出導線４３０の数量を減らすために、一般的には１本或いは２本のシールド電極引出導線４３０ですべてのシールド電極４１０を直流源８００に接続し、或いは直接交流アースと接続する。同時に、できるだけシールド電極引出導線４３０と駆動電極引出導線２３０及び検出電極引出導線３３０との交差を回避する。図３−１から図３−４に示す４種類の状況は、本発明の第２実施形態における４種類のシールド電極引出導線４３０の引出状況である。図３−１と図３−２は、２本のシールド電極引出導線４３０ですべてのシールド電極４１０を交流アース或は直流源８００と接続させている。図３−３と図３−４は１本のシールド電極引出導線４３０ですべてのシールド電極４１０を交流アースと接続させている。また、シールド層４００について、シールド電極４１０が接地或はタッチパネル周辺装置の直流源８００と接続する方式は、図３−１から図３−４に示された何れかを採用してもよく、その他このシールド電極引出導線４３０と駆動電極引出導線２３０が空間で互いに交差しないその他方式を採用してもよい。
【００２９】
（第３実施形態）
本発明の第３実施形態は、図４−１から図４−５に示すように、駆動層２００と検出層３００とが第１実施形態と完全同じであり、唖電極層５００を追加した。唖電極層５００は、駆動層２００と検出層３００のうち上方一層にあたるものの上方または下方に設置、或いは当該層に嵌めこまれる。唖電極層５００は、透明な導電材料で作成された平板唖電極５１０を有し、唖電極５１０は、駆動層２００と検出層３００のうち下方一層にあたるものの中の各電極所在位置の真正面に分布する。
第３実施形態の一例について説明すると、駆動層２００が検出層３００の下方にあるとき、図４−１に示すように、各唖電極５１０は、駆動層２００にある各電極所在位置の真正面に分布する。言い替えれば、唖電極５１０の分布は、唖電極層５００において駆動層２００の各駆動電極２１０の所在位置の真正面に分布する。唖電極層５００が駆動層２００において真正面にある駆動電極２１０の区域内に分布し、複数の唖電極５１０がこの区域を充填してもいいし、１つの唖電極５１０だけてもよい。図例では、唖電極層５００の駆動電極２１０と真正面に相対する区域には、１６個の面積が小さい唖電極５１０を配置し、このような構造は電界の分布を更に均等にさせ、タッチ検出に有利である。唖電極５１０は、互いに接続せず、且つ普通の電極と同じように、如何なる信号の激励源、直流源或はアースと接続せず、電気的に宙に浮く状態にあるため、唖電極或はダミーセル（Ｄｕｍｍｙ  Ｃｅｌｌ）と称される。
【００３０】
図４−２に示すように、唖電極５１０の所在区域は、矩形検出電極３１１の所在区域とお互いに補充する。図例では、唖電極層５００と検出層３００とは一体に嵌め込まれ、図４−３のように、唖電極層５００と検出層３００とは同じ層にある。
図４−３に示されたＯ3点について、Ｏ3点がタッチされなかったときに、Ｏ3点の電界分布情況は、図４−４のようになる。人指１５０がＯ3点をタッチしたときに、Ｏ3点の電界分布情況は図４−５のようになる。図４−４及び図４−５を見れば、唖電極５１０の作用は、矩形検出電極３１１トップ部の電界を変えて、矩形検出電極３１１トップ部と矩形駆動電極２１１との間に形成された静電容量ＣＴを更に増大させ、ＣＴの変化範囲を拡大する。これは、唖電極５１０が矩形駆動電極２１１と矩形検出電極３１１トップ部との電界線を増加することから理解できる。また、唖電極５１０もタッチパネルの光透過率を一致させる役目もある。
【００３１】
（第４実施形態）
本発明の第４実施形態は、図５−１から図５−３に示すように、駆動層２００と検出層３００が第１実施形態と同じで、第２実施形態と同じようなシールド層４００と第３実施形態と同じような唖電極層５００を追加した。
図５−１に示すように、シールド層４００が駆動層２００に嵌め込まれ、唖電極層５００と検出層３００とが一体に嵌め込まれる。
図５−１に示されたＯ4点については、Ｏ4点がタッチされていないとき、Ｏ4点の電界分布情況は図５−２のようになる。人指１５０がＯ4点をタッチしたとき、Ｏ4点の電界分布情況は図５−３のようになる。図５−２と図５−３から見れば、このシールド電極４１０と唖電極５１０との共通作用で、矩形検出電極３１１底部と矩形駆動電極２１１との間に形成された静電容量ＣＢを更に減少させ、矩形検出電極３１１トップ部と矩形駆動電極２１１との間に形成された静電容量ＣＴに更に増大させ、それによって更に交互静電容量Ｃの有効静電容量率を高める。
【００３２】
（第５実施形態）
本発明の第５実施形態は、図６−１から図６−５に示すように、この交互静電容量式タッチパネルが、駆動層２００、検出層３００、シールド層４００及び唖電極層５００を備える。
図６−１に示すように、駆動層２００は、駆動電極２１０を設け、且つ各駆動電極２１０は、菱形駆動電極２１２で、図例においては、２５個の菱形駆動電極２１２を設けた。菱形駆動電極２１２は、駆動電極接続コード２２０を通じてグループ別に５組の駆動電極グループ２４０に分けられ、全ての駆動電極グループ２４０にある菱形駆動電極２１２の幾何中心と各駆動電極接続コード２２０とが同じ直線上にあり、且つ、各駆動電極グループ２４０内の駆動電極接続コード２２０の所在直線は互いに平行する。各駆動電極グループ２４０がタッチパネル周辺装置の激励信号モジュール６００と接続する状況は、第１実施形態とおなじである。
【００３３】
図６−２に示すように、検出層３００は、検出電極３１０を設け、且つ各検出電極３１０は、菱形検出電極３１２で、図例においては、３６個の菱形検出電極３１２を設けた。菱形検出電極３１２は、検出電極接続コード３２０を通じてグループ別に６組の検出電極グループ３４０に振分けられ、全ての検出電極グループ３４０にある菱形検出電極３１２の幾何中心と各菱形検出電極接続コード３２０は同じ直線上にあり、且つ各検出電極グループ３４０内の検出電極接続コード３２０の所在直線は互いに平行する。各検出電極グループ３４０とタッチパネル周辺装置の検出制御モジュール７００との接続状況は第１実施形態と同じである。
【００３４】
菱形検出電極３１２は、検出層３００において駆動層２００にある菱形駆動電極２１２の間に形成された隙間区域の真正面に分布し、菱形駆動電極２１２と菱形検出電極３１２とにタッチパネルのタッチエリア１１０を充填させる。この駆動電極接続コード２２０は検出電極接続コード３２０とお互いに直交する。
駆動層２００は、検出層３００の上方に位置し、図６−３に示すように、シールド層４００は、透明な導電材料で作成された平板シールド電極４１０を有し、シールド電極４１０は、駆動層２００にある菱形駆動電極２１２の所在位置の真正面に分布する。すなわちシールド電極４１０は、シールド層４００において検出層３００にある検出電極３１０の間にある隙間区域の真正面に分布する。本実施形態のシールド層４００の作用は、第２実施形態と第４実施形態とほぼ同じである。
【００３５】
駆動層２００が検出層３００上方に位置し、図６−４のように、唖電極層５００は、間隔的に分布された透明な導電材料で作成された平板唖電極５１０を有し、唖電極５１０は菱形を呈し、唖電極５１０は、検出層３００にある各菱形検出電極３１２の所在区域の真正面に分布する。すなわち、唖電極５１０は、唖電極層５００において駆動層２００の各駆動電極２１０の間にある隙間区域の真正面区域に分布する。唖電極層５００において、検出層３００のある検出電極３１０の区域に真正面にある区域は、１つの唖電極５１０だけある。本実施形態の唖電極層５００の作用は、第３実施形態と第４実施形態とほぼ同じである。
図６−５に示すように、唖電極層５００は、駆動層２００の上にあり、シールド層４００は、検出層３００の下に位置する。第５実施形態での交互静電容量Ｃの形成と電界分布情況は第４実施形態とほぼ同じであるため、本実施形態は効果的に交互静電容量Ｃの有効静電容量率を高めることができる。
【００３６】
（第６実施形態）
本発明の第６実施形態は、図７−１から図７−５に示すように、交互静電容量式タッチパネルが、駆動層２００、検出層３００、シールド層４００及び唖電極層５００を備える。
図７−１に示すように、駆動層２００は、駆動電極２１０を設け、且つ各駆動電極２１０は、六角形電極２１３で、図例では、１６の六角形電極２１３が設けられている。六角形駆動電極２１３は、駆動電極接続コード２２０を通じてグループ別に４組の駆動電極グループ２４０分けられ、全ての駆動電極グループ２４０にある六角形駆動電極２１３の幾何中心と各駆動電極接続コード２２０とは同じ直線上にあり、且つ各駆動電極グループ２４０内の駆動電極接続コード２２０の所在直線は互いに平行する。各駆動電極グループ２４０とタッチパネル周辺装置の激励信号モジュール６００との接続情況は、第１実施形態と同じである。
【００３７】
図７−２に示すように、検出層３００は、検出電極３１０を設け、且つ各検出電極３１０は、菱形検出電極３１３で、図例では、２５の菱形検出電極３１３が設けられている。菱形検出電極３１３は、検出電極接続コード３２０を通じてグループ別に５組の検出電極グループ３４０に分けられ、検出電極グループ３４０にある各菱形検出電極３１３の幾何中心と各菱形検出電極接続コード３２０とは同じ直線上にあり、且つ各検出電極グループ３４０内の検出電極接続コード３２０の所在直線は互いに平行する。各検出電極グループ３４０とタッチパネル周辺装置の検出制御モジュール７００との接続情況は第１実施形態と同じである。
【００３８】
各菱形検出電極３１３は、検出層３００において駆動層２００にある各六角形駆動電極２１３の間に形成された隙間区域の真正面区域に分布され、六角形駆動電極２１３と菱形検出電極３１３とにタッチパネルのタッチエリア１１０を充填させる。駆動電極接続コード２２０と検出電極接続コード３２０とは互いに直交する。
駆動層２００は、検出層３００の下に位置し、図７−３に示すように、シールド層４００は、透明な導電材料で作成された平板シールド電極４１０を有し、シールド電極４１０は、検出層３００にある検出電極３１０の真正面にあり、即ち各シールド電極４１０は、シールド層４００において駆動層２００にある駆動電極２１０の間にある隙間区域の真正面に分布される。本実施形態のシールド層４００の作用は、第２実施形態及び第４実施形態とほぼ同じである。
【００３９】
駆動層２００は、検出層３００の下に位置し、図７−４に示すように、唖電極層５００は、間隔的に分布された透明な導電材料で作成された平板唖電極５１０を有する。各唖電極５１０は、駆動層２００の各駆動電極２１０に正対している。即ち、各唖電極５１０は、唖電極層５００において検出層３００の間にある隙間区域の真正面に分布される。図例では、唖電極５１０は三角形を呈し、唖電極層５００において駆動層２００の１つの六角形駆動電極２１３の所在区域の真正面区域内に６つの唖電極５１０が設置されている。このような設計は、唖電極５１０の面積を減少させ、電界分布を更に均一化させ、タッチ検出に有利である。唖電極層５００の作用は、第３実施形態及び第４実施形態とほぼ同じである。
図７−５に示すように、唖電極層５００は、検出層３００の下に位置して、シールド層４００は、駆動層２００の上に設置される。第５実施形態での交互静電容量Ｃの形成と電界分布情況は、第４実施形態とほぼ同じであり、効果的に交互静電容量Ｃの有効静電容量率を高めることができる。
【００４０】
（第７実施形態）
本発明の第７実施形態によるコンビ式交互静電容量タッチパネルは、面積の比較的大きいタッチパネルに適用する。上述交互静電容量式タッチパネルの面積が比較的大きいとき、駆動電極および検出電極の数量を増加しなければならず、長すぎる電極グループは抵抗が過大になり、交互静電容量通路の通信容量の低下を招いて、電気回路の駆動と検出に不便になる。上述情況を回避するために、本実施形態による１種の交互静電容量式タッチパネルで組み合わせたコンビ式交互静電容量タッチパネルを提出する。
【００４１】
図８−１及び図８−２に示すように、コンビ式交互静電容量タッチパネルは、透明な絶縁媒質で作成されたタッチパネル１１００、及び特にタッチパネル１１００にカバーされ緊密に配列された少なくとも２つの交互静電容量タッチユニット１０００を備え、交互静電容量タッチユニット１０００は、タッチパネル１１００のタッチエリアを充填する。交互静電容量タッチユニット１０００の構造は、本発明の実施形態による交互静電容量式タッチパネルと類似して、駆動層２００、検出層３００、及び駆動層２００と検出層３００との間にある透明な絶縁媒質で作成された交互静電容量媒質平面９１０を備える。駆動層２００は、同一平面に間隔的に分布された透明な導電材料で作成された平板駆動電極２１０を有し、検出層３００は、同一平面に間隔的に分布された透明な導電材料で作成された平板検出電極３１０を有し、各検出電極３１０は、検出層３００においてシールド層２００にある各駆動電極２１０の隙間区域の真正面に分布され、駆動電極２１０と検出電極３１０とは交互静電容量タッチユニット１０００のタッチエリア１１０を充填させる。駆動電極２１０とコンビ式交互静電容量タッチパネル周辺装置の対応駆動電極２１０の交互静電容量タッチユニット１０００の激励信号モジュール６００とを接続し、検出電極３１０とコンビ式交互静電容量タッチパネル周辺装置の対応する検出電極３１０の交互静電容量タッチユニット１０００の検出制御モジュール７００とを接続する。
【００４２】
図８−１に示すように、コンビ式交互静電容量タッチパネルが、４つの交互静電容量タッチユニット１０００を備え、交互静電容量タッチユニット１０００の駆動層２００および検出層３００の構造は、第１実施形態から第６実施形態の如何なる実施形態を使用してもよい。コンビ式交互静電容量タッチパネルは、周辺装置の制御回路を通じて、それぞれの交互静電容量タッチユニット１０００の静電容量の分布データを読み取り、それからデータまとめと分析によって、タッチパネル１１００上のタッチ状況を正確に判断できる。
【００４３】
（第８実施形態）
本発明の第８実施形態では、図９−１及び図９−２に示すように、第７実施形態に加えて、全ての交互静電容量タッチユニット１０００の中にシールド層４００を追加し、シールド層４００は、駆動層２００と検出層３００のうちの下方の一層にあたるものの上方または下方に位置する、或いは当該層にはめ込まれる。シールド層４００は、透明な導電材料で作成された平板シールド電極４１０、及びシールド電極引出導線４３０を有する。シールド電極４１０は、駆動層２００と検出層３００のうちの上方一層の各電極所在位置に正対している。このシールド電極４１０は、電気的に宙に浮いてもよいし、交流接地してもよい。本実施形態では、シールド電極引出導線４３０を通じて、交互静電容量タッチユニット１０００各自のシールド電極４１０とコンビ式交互静電容量タッチパネル周辺装置の直流源８００とを接続する。
【００４４】
（第９実施形態）
本発明の第９実施形態では、図１０−１及び図１０−２に示すように、第７実施形態に加えて、全ての交互静電容量タッチユニット１０００にシールド層４００と唖電極層５００を追加した。シールド層４００内の構造は、第８実施形態と同じで、唖電極層５００は、駆動層２００と検出層３００のうちの上方の一層にあたるものの上方または下方に設置する、或いは当該層に嵌めこまれる。唖電極層５００は、透明な導電材料で作成された平板唖電極５１０を有し、各唖電極５１０は、駆動層２００と検出層３００のうちの下方の一層の各電極所在位置の真正面に分布される。
【００４５】
また、第８実施形態と違って、図１０−１に示すように、第９実施形態は、透明な導電材料で作成されたシールド層接続コード１４２０、及びシールド層引出導線１４３０を備える。シールド層接続コード１４２０を通じて交互静電容量タッチユニット１０００各自のシールド層４００と接続し、また、シールド層引出導線１４３０を通じて設置する。もちろん、シールド電極は、電気的に宙に浮いてもよいし、コンビ式交互静電容量タッチパネル周辺装置の直流源と接続してもよい。
【００４６】
第７実施形態から第９実施形態における駆動層２００、検出層３００、シールド層４００及び唖電極層５００の構造は、第１実施形態から第６実施形態にある如何なる実施形態、或いは如何なる本発明の上述技術方案の構造を参考することができる。
本発明に述べられた透明な導電材料は、既存技術によく使われる材料で、酸化インジウム錫（Ｉｎｄｉｕｍ  Ｔｉｎ  Ｏｘｉｄｅ、略称はＩＴＯ）、及びアンチモン含有酸化錫（Ａｎｔｉｍｏｎｙ  Ｔｉｎ  Ｏｘｉｄｅ、略称はＡＴＯ）を含む。
【符号の説明】
【００４７】
１００：タッチ平面、１１０：タッチエリア、１２０：保護平面、１５０：人指、２００：駆動層、２１０：駆動電極、２１０’：駆動線、２１１：矩形駆動電極、２１２：菱形駆動電極、２１３：六角形電極、２２０：電極接続コード、２３０：駆動電極引出導線、２４０：駆動電極グループ、３００：検出層、３１０：検出電極、３１０’：検出線、３１１：矩形検出電極、３１２：菱形検出電極、３１３：菱形検出電極、３２０：検出電極接続コード、３３０：検出電極引出導線、３４０：検出電極グループ、４００：シールド層、４１０：シールド電極、４３０：シールド電極引出導線、５００：唖電極層、５１０：唖電極、６００：激励信号モジュール、７００：検出制御モジュール、８００：直流源、９１０：交互静電容量媒質平面、１０００：交互静電容量タッチユニット、１１００：タッチパネル、１４２０：シールド層接続コード、１４３０：シールド層引出導線
【図１−１】
2010108505.tif 000003
【図１−２】
2010108505.tif 000004
【図１−３】
2010108505.tif 000005
【図１−４】
2010108505.tif 000006
【図１−５】
2010108505.tif 000007
【図１−６】
2010108505.tif 000008
【図２−１】
2010108505.tif 000009
【図２−２】
2010108505.tif 000010
【図２−３】
2010108505.tif 000011
【図２−４】
2010108505.tif 000012
【図２−５】
2010108505.tif 000013
【図３−１】
2010108505.tif 000014
【図３−２】
2010108505.tif 000015
【図３−３】
2010108505.tif 000016
【図３−４】
2010108505.tif 000017
【図４−１】
2010108505.tif 000018
【図４−２】
2010108505.tif 000019
【図４−３】
2010108505.tif 000020
【図４−４】
2010108505.tif 000021
【図４−５】
2010108505.tif 000022
【図５−１】
2010108505.tif 000023
【図５−２】
2010108505.tif 000024
【図５−３】
2010108505.tif 000025
【図６−１】
2010108505.tif 000026
【図６−２】
2010108505.tif 000027
【図６−３】
2010108505.tif 000028
【図６−４】
2010108505.tif 000029
【図６−５】
2010108505.tif 000030
【図７−１】
2010108505.tif 000031
【図７−２】
2010108505.tif 000032
【図７−３】
2010108505.tif 000033
【図７−４】
2010108505.tif 000034
【図７−５】
2010108505.tif 000035
【図８−１】
2010108505.tif 000036
【図８−２】
2010108505.tif 000037
【図９−１】
2010108505.tif 000038
【図９−２】
2010108505.tif 000039
【図１０−１】
2010108505.tif 000040
【図１０−２】
2010108505.tif 000041
【図１１−１】
2010108505.tif 000042
【図１１−２】
2010108505.tif 000043
【図１１−３】
2010108505.tif 000044
【図１１−４】
2010108505.tif 000045